(57)【要約】  【課題】  Ｆ型コネクタの規格に準じ、内部構造による高周波特性の劣化を防止して可動片を設けることができるコネクタ、Ｆ型プラグの接続を検出することができる接続検出システム、Ｆ型プラグの接続状態に応じて自動的に信号の入力を切り換えることができる入力切換システムを提供する。  【解決手段】  Ｆ型プラグが嵌合された際に芯線によって押されてスライドする、一端が空間３４内に配され他端が突出した絶縁性の可動絶縁片４を配し、突出した可動絶縁片４によって接続検出用のスイッチのオン／オフ状態を切り換える。【選択図】        図２
2006164669.tif 000002
【特許請求の範囲】
【請求項１】
Ｆ型プラグが嵌合されるコネクタにおいて、
嵌合されるＦ型プラグの外部導体と接する略円筒状の外部導体と、
上記Ｆ型プラグの芯線と接する内部導体と、
上記内部導体を上記外部導体内に固定すると共に、上記内部導体と上記外部導体とを絶縁する絶縁体と、
上記芯線が挿入される内部空間に一端側が配され、他端側が上記内部空間の上記芯線が挿入されない側から突出した構成とされ、上記芯線によって押されてスライドする絶縁性の可動片とを有することを特徴とするコネクタ。
【請求項２】
請求項１において、
上記可動片の上記芯線により押される部分が窪んでいることを特徴とするコネクタ。
【請求項３】
請求項１において、
上記内部空間は、上記芯線の挿入側でない方に縮小部を有しており、上記縮小部と係止される係止部が上記可動片の一端側に形成されていることを特徴とするコネクタ。
【請求項４】
請求項１において、
上記可動片は、誘電正接が小さい材料からなることを特徴とするコネクタ。
【請求項５】
Ｆ型プラグが嵌合されるコネクタの接続検出システムにおいて、
嵌合されるＦ型プラグの外部導体と接する略円筒状の外部導体と、上記Ｆ型プラグの芯線と接する内部導体と、上記内部導体を上記外部導体内に固定すると共に、上記内部導体と上記外部導体とを絶縁する絶縁体と、上記芯線が挿入される内部空間に一端側が配され、他端側が上記内部空間の上記芯線が挿入されない側から突出した構成とされ、上記芯線によって押されてスライドする絶縁性の可動片とを有するコネクタと、
上記芯線によって押されてスライドした上記可動片によって接続切換機構が制御されて識別信号を出力するスイッチと、
上記スイッチから出力される識別信号を検出した場合に、上記コネクタへの上記Ｆ型プラグの接続を検出する検出手段とを有することを特徴とする接続検出システム。
【請求項６】
請求項５において、
さらに、上記Ｆ型プラグが嵌合されていないときに上記可動片を上記芯線の挿入側に保持する保持手段を有することを特徴とする接続検出システム。
【請求項７】
請求項６において、
上記保持手段は、上記接続切換機構が有する弾性力によって上記可動片を上記芯線の挿入側に保持することを特徴とする接続検出システム。
【請求項８】
請求項５において、
上記可動片の上記芯線により押される部分が窪んでいることを特徴とする接続検出システム。
【請求項９】
請求項５において、
上記内部空間は、上記芯線の挿入側でない方に縮小部を有しており、上記縮小部と係止される係止部が上記可動片の一端側に形成されていることを特徴とする接続検出システム。
【請求項１０】
請求項５において、
上記可動片は、誘電正接が小さい材料からなることを特徴とする接続検出システム。
【請求項１１】
複数個のコネクタから選択的に入力を切り換える入力切換システムにおいて、
嵌合されるＦ型プラグの外部導体と接する略円筒状の外部導体と、上記Ｆ型プラグの芯線と接する内部導体と、上記内部導体を上記外部導体内に固定すると共に、上記内部導体と上記外部導体とを絶縁する絶縁体と、上記芯線が挿入される内部空間に一端側が配され、他端側が上記内部空間の上記芯線が挿入されない側から突出した構成とされ、上記芯線によって押されてスライドする絶縁性の可動片とを有するコネクタと、
上記芯線によって押されてスライドした上記可動片によって接続切換機構が制御されて識別信号を出力する第１のスイッチと、
上記コネクタからの入力と他の入力とを切り換える第２のスイッチと、
上記第１のスイッチから出力される上記識別信号を検出した場合に、上記第２のスイッチを切り換えて、信号の入力を上記コネクタ側に自動的に切り換える切換制御手段とを有することを特徴とする入力切換システム。
【請求項１２】
請求項１１において、
さらに、上記Ｆ型プラグが嵌合されていないときに上記可動片を上記芯線の挿入側に保持する保持手段を有することを特徴とする入力切換システム。
【請求項１３】
請求項１２において、
上記保持手段は、上記接続切換機構が有する弾性力によって上記可動片を上記芯線の挿入側に保持することを特徴とする入力切換システム。
【請求項１４】
請求項１１において、
上記可動片の上記芯線により押される部分が窪んでいることを特徴とする入力切換システム。
【請求項１５】
請求項１１において、
上記内部空間は、上記芯線の挿入側でない方に縮小部を有しており、上記縮小部と係止される係止部が上記可動片の一端側に形成されていることを特徴とする入力切換システム。
【請求項１６】
請求項１１において、
上記可動片は、誘電正接が小さい材料からなることを特徴とする入力切換システム。
【請求項１７】
請求項１１において、
上記切換制御手段は、さらにコンバータ電源の出力を切り換えることを特徴とする入力切換システム。
【発明の詳細な説明】
【技術分野】
【０００１】
この発明は、コネクタ、接続検出システム、入力切換システムに関し、特に、Ｆ型プラグが嵌合されるコネクタへのＦ型プラグの接続を検出して自動的に入力を切り換えるのに適用して好適なものである。
【背景技術】
【０００２】
、
現在、ＶＨＦ（Very High Frequency）／ＵＨＦ（Ultra High Frequency）帯を使用する地上アナログテレビジョン放送が行われている。また、ＳＨＦ（Super High Frequency）帯を使用するＢＳ（Broadcasting Satellite）デジタル、ＣＳ（Communication Satellite）デジタル等の衛星放送が行われている。さらに、近年では、一部の地域において、ＵＨＦ帯を使用した地上デジタル放送が開始されている。また、有線放送では、光ファイバ等の伝送路を使用したケーブルテレビジョン（ＣＡＴＶ）サービスが行われている。
【０００３】
これら放送は、例えば、一端側が受信アンテナまたはＣＡＴＶ伝送路と接続されたケーブルの他端側のコネクタとテレビジョン受像機等の受信装置側のコネクタとを接続することで受信される。これら放送のＲＦ（Radio Frequency）信号の入力端子として、例えば、Ｆ型コネクタが使用されている。以下、ケーブル側のＦ型コネクタをＦ型プラグと称し、受信装置側のＦ型コネクタをＦ型レセプタクルと称する。
【０００４】
図７は、従来のＦ型レセプタクルの構成の一例を示す断面図である。図７Ａは、プリント配線基板１１１への搭載面側から見た上面図であり、図７Ｂはその側面図である。コネクタ１０１は、図示しないＦ型プラグが矢印方向から嵌合されるＦ型レセプタクルである。コネクタ１０１は、外部導体１０２、内部導体１０３および絶縁体１０４によって構成されている。
【０００５】
外部導体１０２は、金属等の導電性を有する材料からなり、挿入されるＦ型プラグの外部導体と周面が接触する略円筒状の構成を有している。外部導体１０２は、受信装置等の受信側の機器の金属筐体１０５にかしめ等によって固定され接地されている。
【０００６】
内部導体１０３は、金属等の導電性を有する材料からなり、挟持片１０６，１０７と、挟持片１０６と挟持片１０７とを連結する連結片１０８とによって、Ｆ型プラグの芯線が挿入される空間が形成されるように構成されている。内部導体１０３は、Ｆ型プラグの芯線が嵌合される側に、挟持片１０６と挟持片１０７とが近接した接触部１０９を有している。コネクタ１０１にＦ型プラグが嵌合されると、Ｆ型プラグの芯線が接触部１０９に接触して、内部導体１０３とＦ型プラグの芯線とが電気的に接続される。
【０００７】
連結片１０８の固着側は、折り曲げられており、端子部１１０が設けられている。端子部１１０は、金属筐体１０５内のプリント配線基板１１１のスルーホールに挿通されており、半田付けによって固定され、電気的に接続されている。
【０００８】
絶縁体１０４は、内部導体１０３を外部導体１０２内に位置決めすると共に、内部導体１０３と外部導体１０２とを絶縁している。
【０００９】
以上の構成によって、コネクタ１０１にＦ型プラグが嵌合されると、内部導体１０３を介してＦ型プラグの芯線からプリント配線基板１１１上の電気回路にＲＦ信号が供給される。
【００１０】
上述したＲＦ信号は高周波であり、接続経路においてその高周波特性の劣化の防止を考慮する必要がある。以下の特許文献１には、同軸プラグが装着されていないときは内蔵する終端回路により中心導体が終端され、同軸プラグが装着されたときはその終端が解除されるように、同軸プラグが装着された場合に終端回路の両端に設けられている接点手段がオフとなるようにすることで、高周波特性の劣化を抑える同軸コネクタが提案されている。
【００１１】
【特許文献１】特開２００４−２２２８０号公報
【００１２】
ところで、マンション等で使用される共同受信システムでは、ＶＨＦ／ＵＨＦ放送等の地上放送の信号とＢＳデジタル放送、ＣＳデジタル放送等の衛星放送の信号とを、それぞれ異なるケーブルによって引き回すと配線が複雑になるため、地上放送の信号と衛星放送の信号とをミキサー（混合器）によって合成し、合成した信号（以下、１軸システム信号と称する）を１本のケーブルによって引き回して、壁面コンセント等の各供給先に供給されていることが多い。
【００１３】
通常、１軸システム信号を入力して地上放送と衛星放送とを受信する場合、壁面コンセント等の１軸システム信号の供給先と受信装置との間において、１軸システム信号をセパレータ（分波器）によって分波して、分波した地上放送信号と衛星放送信号とを、それぞれ別々のケーブルによって引き回し、それぞれのケーブル端のＦ型プラグを、対応するＦ型レセプタクルに接続する。
【００１４】
このように受信側の機器がＦ型レセプタクルを複数個備えることで、受信環境の異なる多種の信号を適切に入力できる。
【発明の開示】
【発明が解決しようとする課題】
【００１５】
しかしながら、従来のＦ型コネクタによるＲＦ信号の入力には、以下のような問題点があった。ＲＦ信号が入力されるＦ型レセプタクルは、テレビジョン受像機等の受信装置では、通常、機器の背面側に設けられており、配線を行った後にその接続状態を確認することが容易ではなかった。Ｆ型コネクタの接続状態は、人間の目視により確認しているが、経年変化等によってケーブル側のＦ型プラグの芯線のみが後退して抜けた場合、外見からは確認が困難であった。
【００１６】
また、Ｆ型コネクタは、規格で構造が定められており、電気的特性を劣化させずに芯線と接する内部導体部の近傍に新たな機構物を設けることは困難であった。特許文献１で提案されている同軸コネクタは、その構造からＦ型コネクタへの適用が困難であり、また、分配器や直列ユニット等の空き端子を終端して流合雑音の発生を防止するものであるため、コネクタの内部構造の高周波特性を考慮したものではなかった。
【００１７】
また、上述したように受信側の機器がＦ型レセプタクルを複数個有している場合、ユーザは、入力に使用するＦ型レセプタクルを手動で選択する必要があった。
【００１８】
したがって、この発明の目的は、Ｆ型コネクタの規格に準じ、内部構造による高周波特性の劣化を防止して可動片を設けることができるコネクタ、Ｆ型プラグの接続を検出することができる接続検出システム、Ｆ型プラグの接続状態に応じて自動的に信号の入力を切り換えることができる入力切換システムを提供することにある。
【課題を解決するための手段】
【００１９】
上述した課題を解決するために、この発明の第１の形態は、Ｆ型プラグが嵌合されるコネクタにおいて、嵌合されるＦ型プラグの外部導体と接する略円筒状の外部導体と、Ｆ型プラグの芯線と接する内部導体と、内部導体を外部導体内に固定すると共に、内部導体と外部導体とを絶縁する絶縁体と、芯線が挿入される内部空間に一端側が配され、他端側が内部空間の上記芯線が挿入されない側から突出した構成とされ、芯線によって押されてスライドする絶縁性の可動片とを有することを特徴とするコネクタである。
【００２０】
また、この発明の第２の形態は、Ｆ型プラグが嵌合されるコネクタの接続検出システムにおいて、嵌合されるＦ型プラグの外部導体と接する略円筒状の外部導体と、Ｆ型プラグの芯線と接する内部導体と、内部導体を外部導体内に固定すると共に、内部導体と外部導体とを絶縁する絶縁体と、芯線が挿入される内部空間に一端側が配され、他端側が内部空間の芯線が挿入されない側から突出した構成とされ、芯線によって押されてスライドする絶縁性の可動片とを有するコネクタと、芯線によって押されてスライドした可動片によって接続切換機構が制御されて識別信号を出力するスイッチと、スイッチから出力される識別信号を検出した場合に、コネクタへの上記Ｆ型プラグの接続を検出する検出手段とを有することを特徴とする接続検出システムである。
【００２１】
また、この発明の第３の形態は、複数個のコネクタから選択的に入力を切り換える入力切換システムにおいて、嵌合されるＦ型プラグの外部導体と接する略円筒状の外部導体と、Ｆ型プラグの芯線と接する内部導体と、内部導体を外部導体内に固定すると共に、内部導体と外部導体とを絶縁する絶縁体と、芯線が挿入される内部空間に一端側が配され、他端側が内部空間の芯線が挿入されない側から突出した構成とされ、芯線によって押されてスライドする絶縁性の可動片とを有するコネクタと、芯線によって押されてスライドした可動片によって接続切換機構が制御されて識別信号を出力する第１のスイッチと、コネクタからの入力と他の入力とを切り換える第２のスイッチと、第１のスイッチから出力される識別信号を検出した場合に、第２のスイッチを切り換えて、信号の入力をコネクタ側に自動的に切り換える切換制御手段とを有することを特徴とする入力切換システムである。
【発明の効果】
【００２２】
この発明によれば、Ｆ型プラグが嵌合されるコネクタにおいて、電界がほとんど発生しないＦ型プラグの芯線が挿入される内部空間内に、Ｆ型プラグの芯線によって押されてスライドする可動片が配されているため、電気的特性の劣化がほとんどなく、可動片を設けることができる。
【００２３】
また、この発明の第２の形態によれば、Ｆ型プラグの芯線で押されてスライドした可動片によって、スイッチの接続切換機構を制御して識別信号を検出部に出力するため、検出部は、スイッチから出力される識別信号を検出した際に、Ｆ型プラグの接続を検出することができる。これにより、Ｆ型プラグの接続状態を画像として表示装置に表示する等によって、ユーザは、Ｆ型プラグの接続状態を容易に確認することができる。
【００２４】
また、この発明の第３の形態によれば、Ｆ型プラグの芯線で押されてスライドした可動片によって、第１のスイッチの接続切換機構を制御して識別信号を制御部に出力し、第１のスイッチから出力される識別信号を制御部が検出した際に、制御部が第２のスイッチを、信号の入力がそのコネクタとなるように自動的に切り換えることによって、Ｆ型プラグが嵌合されたコネクタに自動的に信号の入力を切り換えることができる。
【発明を実施するための最良の形態】
【００２５】
以下、この発明の実施の形態について図面を参照して説明する。図１は、一実施形態によるコネクタの構成の一例を示す斜視図であり、図２は、図１に示すコネクタの分解斜視図である。
【００２６】
コネクタ１は、図示しないＦ型プラグが矢印方向から嵌合されるものであり、外部導体２、内部導体３、可動絶縁片４および絶縁体５によって構成されている。以下、Ｆ型プラグが嵌合される側を嵌合側とし、その反対側を固着側として説明する。
【００２７】
外部導体２は、金属等の導電性を有する材料からなり、外周面にネジ溝２１が設けられた略円筒形状を有している。外部導体２の固着側の外周面には、鍔部２２が設けられている。コネクタ１は、例えば、機器の金属筐体等に設けられた取付孔に嵌合側から挿入し、鍔部２２をかしめ、半田付け、ナットによる締め付け等によって固着することで取り付けられる。
【００２８】
外部導体２には、内部導体３、可動絶縁片４および絶縁体５を組み立てたものが固着側の開口部から挿入され収納されている。図示しないが外部導体２の嵌合側の開口部は、この収納されたものが抜けずに外部導体２内に保持されるように狭められている。
【００２９】
コネクタ１にＦ型プラグが嵌合されると、外部導体２の外周面がＦ型プラグの外部導体の内周面と接触して互いが電気的に接続される。
【００３０】
内部導体３は、金属等の導電性を有する材料からなり、挿入されるＦ型プラグの芯線（以下、単に芯線と称する）を狭持する挟持片３１，３２と、狭持片３１と挟持片３２とを連結する連結片３３とによって、空間３４が形成されるように構成されている。空間３４は、芯線が挿入される内部空間を形成するためのものであり、挿入される芯線を収納すると共に、芯線の太さや長さのばらつきを吸収して、芯線を無理なく挟持できるように形成されている。狭持片３１，３２および連結片３３は、例えば金属板を折り曲げることによって形成されている。
【００３１】
内部導体３の嵌合側には、挿入される芯線を狭持片３１と挟持片３２とによって挟持する挟持部３５が形成されている。狭持片３１，３２は、共に弾性力を有しており、固着側の底部で連結片３３と連結されている。これによって、挟持部３５において狭持片３１と挟持片３２とを接触または近接させることで、挿入される芯線が内部導体３と確実に接触し、互いが電気的に接続される構成とされている。
【００３２】
挟持部３５の嵌合側には、狭持片３１と挟持片３２とによってハの字状に開いた案内部３６が形成されており、芯線の挿入が容易となるように構成されている。
【００３３】
連結片３３の固着側には、上方に向かって傾斜した傾斜面３７が設けられている。さらにその固着側には、芯線の挿入方向に対して水平な水平面３８、芯線の挿入方向に対して下方に折り曲げられた端子部３９が順次設けられている。端子部３９は、Ｆ型プラグの芯線と内部導体３とが接触した際に、Ｆ型プラグの芯線から供給される電気信号をプリント配線基板等の電気回路に出力するために用いられる。
【００３４】
絶縁体５は、内部導体３を外部導体２内に位置決めすると共に、内部導体３と外部導体２とを絶縁するものであり、図２に示したように、上側の半筒状部材５１と下側の半筒状部材５２とで内部導体３および可動絶縁片４を挟み込み、嵌合側の筒口を蓋体５３によって閉じた構成とされている。絶縁体５は、外部導体２に隙間なく収納されるように、外部導体２の内径と略等しい外径を有している。なお、絶縁体５は、半筒状部材５１，５２および蓋体５３の３つの部材によって構成するのに限ったものではない。
【００３５】
半筒状部材５１，５２の固着側の縁部には、凹部５６がそれぞれ設けられている。凹部５６は、絶縁体５を外部導体２に挿入した際に、図示しない外部導体２の内周部に設けられた突起と嵌合される。これによって、外部導体２内に絶縁体５が位置決めされ、絶縁体５が外部導体２から抜けないように保持される。
【００３６】
絶縁体５には、嵌合側と固着側とで外部と通じた空間が形成されており、この空間内に内部導体３が固定されている。すなわち、芯線が挿入される内部空間は、内部導体３の空間３４を絶縁体５で覆った構成とされている。嵌合側の蓋体５３には、芯線が挿入される開口部５４が設けられており、半筒状部材５１，５２の固着側には、内部導体３の端子部３９が突出される開口部を形成するための開口形成部５５がそれぞれ設けられている。開口形成部５５により形成される開口部からは、内部導体３の端子部３９が突出されると共に、内部導体３の空間３４内に配置された可動絶縁片４がスライド可能に突出されている。
【００３７】
図３は、内部導体３の空間３４内に配置された可動絶縁片４の構成の一例を示す。なお、図３は、Ｆ型プラグの嵌合側からみた斜視図である。可動絶縁片４は、高周波特性の良い、すなわち誘電正接が小さい絶縁性の材料、例えばテフロン（登録商標）、ポリエチレン等からなるエンジニアリングプラスチックによって略棒状に構成されている。可動絶縁片４の材料を誘電正接が小さいものとすることで、高周波信号への影響が抑えられる。
【００３８】
可動絶縁片４は、芯線が挿入される一端側、すなわち嵌合側が内部導体３の空間３４に配され、芯線が挿入されない他端側、すなわち固着側が突出するよう配されており、芯線の挿入方向にスライド可能な構成とされている。すなわち、可動絶縁片４は、内部導体３の空間３４内に芯線が挿入されると、芯線によって押されて固着側へスライドする。
【００３９】
内部導体３の空間３４と絶縁体５とによって形成される芯線が挿入される内部空間は、芯線の挿入側でない方に、上述した傾斜面３７による縮小部を有している。なお、この縮小部は、傾斜面３７によるものに限ったものではない。例えば、縮小部は、連結片３３を垂直に折り曲げることで形成してもよいし、連結片３３に突起等によって部分的に形成してもよい。また、この縮小部は、挟持片３１，３２および絶縁体５の形状によって形成してもよい。
【００４０】
可動絶縁片４の一端側の底部には、内部導体３の傾斜面３７と平行する傾斜面４１が下方に向かって形成されており、それにより下方に突出した係止部４２が設けられている。係止部４２は、可動絶縁片４を固着側にスライドした際に、傾斜面３７による縮小部と係止される。なお、係止部４２の形状は、縮小部と係止されるのであれば、これに限ったものではなく、例えば、突起等によって部分的に形成してもよい。
【００４１】
Ｆ型プラグをコネクタ１に嵌合すると、可動絶縁片４は、内部導体３の空間３４内に挿入される芯線に押されて、傾斜面４１が内部導体３の傾斜面３７と合わさるまで固着側にスライドする。これによって、挿入される芯線の長さを適切に制限でき、芯線の差しすぎによるスイッチ等の内部回路の破壊を防ぐことができる。また、可動絶縁片４が抜け出るのを防止することができる。
【００４２】
芯線によって押される部分の可動絶縁片４には芯線の挿入方向に向かって窪んだ形状の窪み部４３が設けられており、挿入される芯線の軸出しがなされるように構成されている。これによって、Ｆ型プラグを嵌合した際の芯線の曲がりを低減することができる。
【００４３】
以上の構成を有するコネクタ１は、Ｆ型プラグが嵌合されても芯線が挿入される空間３４には電界がほとんど発生しない。このため、可動絶縁片４の誘電率によるインピーダンスの影響を小さくでき、電気的特性を劣化させずに、嵌合されるＦ型プラグの芯線によって押される可動絶縁片４を、芯線が挿入される内部空間に配置することができる。
【００４４】
図４は、コネクタ１を接続検出システムに適用したときの構成の一例を示す断面図である。なお、この明細書中において、「システム」とは、複数の装置が論理的に集合した物をいい、各構成の装置が同一筐体中にあるか否かは問わない。図５は、Ｆ型プラグが嵌合されたときの断面図である。図４Ａおよび図５Ａは、プリント配線基板６１への搭載面側から見た上面図であり、図４Ｂおよび図５Ｂは、その側面図である。
【００４５】
コネクタ１は、金属等の導電性を有する材料からなる接続検出システムを構成する機器の筐体６０に、外部導体２をかしめ等によって固定することで取り付けられている。これによって、外部導体２と筐体６０とは電気的に接続されている。また、図示しないが筐体６０は、筐体６０内に収納されているプリント配線基板６１のアース部分に接地されている。
【００４６】
また、内部導体３の端子部３９は、プリント配線基板６１のＲＦ信号の入力端子であるスルーホールに挿通され、半田付けによって固定されている。なお、プリント配線基板６１への端子部３９の固定は、これに限ったものではなく、例えば表面実装であってもよい。
【００４７】
プリント配線基板６１には、マイクロスイッチ等のスイッチＳＷ１が実装されている。スイッチＳＷ１は、絶縁体５から突出した可動絶縁片４の先端部分にスイッチのオン／オフを切り換える接続切換機構６２が位置するように実装されている。接続切換機構６２は、バネ等の弾性体による弾性力を有しており、平常時は常にオフとなるように構成されている。すなわち、Ｆ型プラグがコネクタ１に嵌合されていないときは、図４に示すように、接続切換機構６２の弾性力によって、可動絶縁片４がＦ型プラグの挿入側に押された状態に保持される。
【００４８】
また、スイッチＳＷ１は、Ｆ型プラグがコネクタ１に嵌合されたときは、図５に示すように、Ｆ型プラグの芯線によって押し出された可動絶縁片４によって接続切換機構６２が制御され接続がオン状態に切り換わるように構成されている。なお、図５においてＦ型プラグ側は、芯線のみを示している。
【００４９】
スイッチＳＷ１は、図示しないマイクロコンピュータ等の電気回路の検出部と接続されており、スイッチＳＷ１がオン状態となった場合に、検出部に「芯線の接続の検出」を意味する識別信号を出力する。これによって、検出部は、スイッチＳＷ１から出力されるその識別信号が検出された場合に、Ｆ型プラグがコネクタ１に正常に嵌合されていることを検出することができる。
【００５０】
例えば、スイッチＳＷ１から識別信号が供給された場合に、検出部が接続検出システムを構成する機器が備える図示しないＬＥＤ（Light Emitting Diode）等による発光部、ブザー等による音声出力部、画面表示部等を制御することで、コネクタ１にＦ型プラグが確実に接続されているか否かをユーザに告知することができる。
【００５１】
ここで、一実施形態による入力切換システムについて、テレビジョン受像機の受信システムで使用されるＲＦ信号増幅器を例にして説明する。図６は、一実施形態によるＲＦ信号増幅器の構成の一例である。
【００５２】
コネクタ１は、ＶＨＦ／ＵＨＦ放送等の地上放送信号の入力にのみ対応した、上述した構成を有する入力端子である。
【００５３】
コネクタ７１は、例えば通常のＦ型レセプタクルであり、地上放送信号とＢＳデジタル／ＣＳデジタル放送等の衛星放送信号とを混合した１軸システム信号の入力に対応した入力端子である。コネクタ７２は、例えば通常のＦ型レセプタクルであり、コネクタ１またはコネクタ７１を介してＲＦ信号増幅器７０の内部に入力され、増幅されたＲＦ信号をＲＦ信号増幅器７０の外部に出力する出力端子である。
【００５４】
セパレータ７３は、衛星放送信号と地上放送信号とを分波する分波器であり、ミキサー７４は、衛星放送信号と地上放送信号とを混合する混合器である。なお、この例では、ミキサー７４によって衛星放送信号と地上放送信号とが混合された信号をコネクタ７２から出力する構成としているが、ミキサー７４による混合を行わないで衛星放送信号と地上放送信号とを２つの出力端子からそれぞれ別々に出力する構成であってもよい。
【００５５】
アンプ７５は、衛星放送信号用の増幅器であり、アンプ７６は、地上放送信号用の増幅器である。スイッチＳＷ１は、上述したように、コネクタ１にＦ型プラグが嵌合された場合に、識別信号を出力するものである。スイッチＳＷ１から出力される識別信号は、コネクタ７７を介してＲＦ信号増幅器７０の外部の制御部７８に供給される。
【００５６】
スイッチＳＷ２は、アンプ７６の入力側の接続を、セパレータ７３の地上放送信号の出力側とコネクタ１とのどちらか一方に切り換えるものである。
【００５７】
制御部７８は、マイクロコンピュータ等からなり、コネクタ７７を介してスイッチＳＷ１およびスイッチＳＷ２と電気的に接続されている。なお、制御部７８は、コネクタ７７を介さずにＲＦ信号増幅器７０内に配置してもよい。制御部７８は、コネクタ７７を介してスイッチＳＷ１から識別信号が供給された場合、すなわちコネクタ１にＦ型プラグが接続された場合に、アンプ７６の入力側がコネクタ１と接続されるようにスイッチＳＷ２を制御する。それ以外の場合、すなわちコネクタ１にＦ型プラグが接続されていない場合には、アンプ７６の入力側がセパレータ７３の地上アナログ放送信号の出力側と接続されるようにスイッチＳＷ２を制御する。
【００５８】
例えば、Ｆ型プラグを介して供給される信号が、１軸システム信号の場合には、コネクタ７１にＦ型プラグが接続され、コネクタ１にはＦ型プラグが接続されない。この接続形態では、コネクタ１にＦ型プラグが接続されないことからスイッチＳＷ２は、アンプ７６の入力側がセパレータ７３の地上アナログ放送信号の出力側と接続されるように制御部７８によって制御される。
【００５９】
よって、コネクタ７１から入力された１軸システム信号は、セパレータ７３によって地上放送信号と衛星放送信号とに分波される。セパレータ７３によって分波された衛星放送信号は、アンプ７５で増幅されてミキサー７４に供給される。セパレータ７３によって分波された地上放送信号は、スイッチＳＷ２の接続によってアンプ７６に供給され、アンプ７６で増幅されてミキサー７４に供給される。ミキサー７４は、アンプ７５から供給される衛星放送信号とアンプ７６から供給される地上放送信号とを混合する。ミキサー７４で混合された信号は、コネクタ７２からテレビジョン受像機のフロントエンド等の増幅したＲＦ信号の供給先に出力される。
【００６０】
また、例えばＦ型プラグを介して供給される信号が、１軸システム信号でない場合、すなわち地上放送信号と衛星放送信号とが異なるＦ型プラグを介して別々に供給される場合には、衛星放送信号が供給されるＦ型プラグがコネクタ７１に接続され、地上放送信号が供給されるＦ型プラグがコネクタ１に接続される。この接続形態では、コネクタ１にＦ型プラグが接続されることからスイッチＳＷ２は、アンプ７６の入力側がコネクタ１と接続されるように制御部７８によって制御される。
【００６１】
よって、コネクタ７１から入力された衛星放送信号は、セパレータ７３を介して、アンプ７５で増幅されてミキサー７４に供給される。コネクタ１から入力された地上放送信号は、スイッチＳＷ２の接続によってアンプ７６に供給され、アンプ７６で増幅されてミキサー７４に供給される。ミキサー７４は、アンプ７５から供給される衛星放送信号とアンプ７６から供給される地上放送信号とを混合する。ミキサー７４で混合された信号は、コネクタ７２からテレビジョン受像機のフロントエンド等の増幅したＲＦ信号の供給先に出力される。
【００６２】
また、例えば地上放送信号のみが供給されるＦ型プラグによって地上放送信号を入力する場合には、地上放送信号が供給されるＦ型プラグがコネクタ７１とコネクタ１とのどちらか一方に接続される。
【００６３】
地上放送信号が供給されるＦ型プラグがコネクタ７１のみに接続される接続形態では、コネクタ１にＦ型プラグが接続されないことからスイッチＳＷ２は、アンプ７６の入力側がセパレータ７３の地上放送信号の出力側と接続されるように制御部７８によって制御される。よって、コネクタ７１から入力される地上放送信号は、セパレータ７３を介してスイッチＳＷ２の接続によってアンプ７６に供給され、アンプ７６で増幅されて、ミキサー７４を介して、コネクタ７２からテレビジョン受像機のフロントエンド等の増幅したＲＦ信号の供給先に出力される。
【００６４】
地上放送信号が供給されるＦ型プラグがコネクタ１のみに接続される接続形態では、コネクタ１にＦ型プラグが接続されることからスイッチＳＷ２は、アンプ７６の入力側がコネクタ１と接続されるように制御部７８によって制御される。よって、コネクタ１から入力される地上放送信号は、スイッチＳＷ２の接続によってアンプ７６に供給され、アンプ７６で増幅されて、ミキサー７４を介して、コネクタ７２からテレビジョン受像機のフロントエンド等の増幅したＲＦ信号の供給先に出力される。
【００６５】
なお、地上放送信号が供給されるＦ型プラグがコネクタ１とコネクタ７１との両方に接続された場合では、コネクタ１にＦ型プラグが接続されることからスイッチＳＷ２は、アンプ７６の入力側がコネクタ１と接続されるように制御部７８によって制御される。よって、コネクタ１から入力される地上放送信号は、スイッチＳＷ２の接続によってアンプ７６に供給され、アンプ７６で増幅されて、ミキサー７４を介して、コネクタ７２からテレビジョン受像機のフロントエンド等の増幅したＲＦ信号の供給先に出力される。したがって、コネクタ７１に接続された方のＦ型プラグの地上放送信号は使用されない。
【００６６】
また、例えば衛星放送信号のみが供給されるＦ型プラグによって衛星放送信号を入力する場合には、衛星放送信号が供給されるＦ型プラグがコネクタ７１にのみ接続される。この接続形態では、コネクタ１にＦ型プラグが接続されないことからスイッチＳＷ２は、アンプ７６の入力側がセパレータ７３の地上放送信号の出力側と接続されるように制御部７８によって制御される。よって、コネクタ７１から入力される衛星放送信号は、セパレータ７３を介してアンプ７５に供給され、アンプ７５で増幅されて、ミキサー７４を介して、コネクタ７２からテレビジョン受像機のフロントエンド等の増幅したＲＦ信号の供給先に出力される。
【００６７】
したがって、この一実施形態によるＲＦ信号増幅器７０では、コネクタ１にＦ型プラグが接続された場合に、信号の入力を自動的にコネクタ１側に切り換えることができる。すなわち、ＲＦ信号増幅器７０が１軸システム信号を入力できるコネクタ７１と地上放送信号のみを入力できるコネクタ７１とを有し、地上放送信号と衛星放送信号とが混合された１軸システム信号と、地上放送信号と衛星放送信号とがそれぞれ別々に供給される所謂２軸システム信号との両方に対応する場合であっても、ユーザは、供給されている信号が１軸システム信号か２軸システム信号かを意識することなく自動的に入力を切り換えることができる。
【００６８】
この発明は、上述したこの発明の実施形態に限定されるものでは無く、この発明の要旨を逸脱しない範囲内で様々な変形や応用が可能である。例えば、上述したコネクタ１は、Ｆ型プラグが嵌合されるものとしたが、これに限らず、今後普及するコネクタ等、同様な構造を有する他のコネクタに適用してもよい。
【００６９】
また、上述した接続切換システムは、１軸システム信号に対応したコネクタ７１と地上放送信号に対応したコネクタ１とで入力の切り換えを行う構成であったが、対応する入力信号の組み合わせは、これに限らず、ＢＳデジタル放送、ＣＳデジタル放送、アナログＶＨＦ／ＵＨＦ放送、地上デジタル放送、ケーブルテレビジョン放送等の信号や、ＶＣＲ（Video Cassette Recorder）、ハードディスクレコーダ等の再生機器からの再生信号、またはこれらの混合信号等による、他の様々な組み合わせを適用することができる。
【００７０】
また、上述した接続切換システムでは、入力端子としてコネクタ１とコネクタ７１との２つを有するものとして説明したが、これに限らず、３つ以上入力端子を有するものであってもよい。また、接続切換システムとして、テレビジョン受像機のＲＦ信号増幅器を例にして説明したが、これに限らず、チューナ、セットトップボックスや、ＶＣＲ、ハードディスクレコーダ等のレコーダ、単体としての入力切換装置等、複数個のＦ型プラグから信号の入力を選択的に切り換える他の機器についても適用することができる。
【００７１】
また、上述した接続切換システムでは、スイッチＳＷ１から出力された識別信号が検出された場合に、制御部７８がスイッチＳＷ２の接続状態を切り換えて、地上放送信号が供給されるコネクタ１側に信号の入力を選択的に切り換えるとしたが、コネクタ１に供給される放送信号の種別が衛星放送等のケーブルにコンバータ電源を重畳する必要のあるものの場合には、信号の入力をコネクタ１側に選択的に切り換えると共に、コネクタ１のコンバータ電源の出力を切り換えてもよい。
【図面の簡単な説明】
【００７２】
【図１】一実施形態によるコネクタの構成の一例を示す斜視図である。
【図２】一実施形態によるコネクタの構成の一例を示す分解斜視図である。
【図３】内部導体の空間に配置された可動絶縁片の構成の一例を示す斜視図である。
【図４】一実施形態による接続検出システムの構成の一例を示す断面図である。
【図５】Ｆ型プラグが嵌合されたときの接続検出システムの状態を示す断面図である。
【図６】一実施形態による入力切換システムを適用したＲＦ信号増幅器の構成の一例を示す図である。
【図７】従来のＦ型レセプタクルの構成の一例を示す断面図である。
【符号の説明】
【００７３】
１，７１・・・コネクタ（入力側）
２・・・外部導体
３・・・内部導体
４・・・可動絶縁片
５・・・絶縁体
３１，３２・・・挟持片
３３・・・連結片
３４・・・空間
３５・・・挟持部
３７・・・傾斜面
３９・・・端子部
４１・・・傾斜面
４２・・・係止部
４３・・・窪み部
６０・・・筐体
６１・・・プリント配線基板
６２・・・接続切換機構
ＳＷ１，ＳＷ２・・・スイッチ
７０・・・ＲＦ信号増幅器
７２・・・コネクタ（出力側）
７８・・・制御部
【図１】
2006164669.tif 000003
【図２】
2006164669.tif 000004
【図３】
2006164669.tif 000005
【図４】
2006164669.tif 000006
【図５】
2006164669.tif 000007
【図６】
2006164669.tif 000008
【図７】
2006164669.tif 000009